(57)【要約】【課題】画像形成装置の転写装置において、利便性の高い機構で像担持体から転写ベルトへ現像画像を転写する１次転写位置を強固に保持する。【解決手段】離間する一対の支持部材４１，４２に架け渡して回転可能に設けられる無端状の転写ベルト１４と、前記転写ベルト１４を挟んで像担持体１６Ｋ，１６Ｙ，１６Ｍ，１６Ｃと対向して設けられ、前記転写ベルト１４を介して前記像担持体１６Ｋ，１６Ｙ，１６Ｍ，１６Ｃと接触して、前記像担持体１６Ｋ，１６Ｙ，１６Ｍ，１６Ｃ上に形成された現像画像を前記転写ベルト１４に転写する転写部材２０Ｋ，２０Ｙ，２０Ｍ，２０Ｃと、前記転写ベルト１４を介して前記像担持体１６Ｋと対向して配置され、前記転写ベルト１４の前記像担持体１６Ｋへ接触する領域を増加させるベルト支持部材４５とを有する転写装置を提供する。【選択図】図２
2010277066.tif 000002
【特許請求の範囲】
【請求項１】
離間する一対の支持部材に架け渡して回転可能に設けられる無端状の転写ベルトと、
前記転写ベルトを介して像担持体と対向して設けられ、前記像担持体上に形成された現像画像を前記転写ベルトに転写する転写部材と、
前記転写ベルトを介して前記像担持体と対向して配置され、前記転写ベルトに作用して前記像担持体へ接触する領域を増加させるベルト支持部材と、
を具備することを特徴とする転写装置。
【請求項２】
前記ベルト支持部材は、前記転写ベルトを介して前記像担持体と接触した状態で、前記転写ベルトのベルトループを外側に広げるように配置されることを特徴とする請求項１記載の転写装置。
【請求項３】
前記一対の支持部材の一方に前記転写ベルトを介して接触し２次転写位置を形成する２次転写部材をさらに有し、前記転写ベルトに転写される現像画像を前記２次転写位置で記録媒体に転写することを特徴とする請求項１記載の転写装置。
【請求項４】
前記像担持体は前記転写ベルトに沿って複数個設けられ、前記ベルト支持部材は前記２次転写位置に最も近い像担持体に対して設けられることを特徴とする請求項３記載の転写装置。
【請求項５】
前記像担持体と前記転写ベルトとを離間した状態に切り換える切り換え部を有し、前記切り換え部により前記像担持体と前記転写ベルトとを離間させるのにともない、前記ベルト支持部材を前記転写ベルトから離間させることを特徴とする請求項１、２、３または４のいずれかに記載の転写装置。
【請求項６】
離間する一対の支持部材に架け渡して設けられる無端状の転写ベルトと、
前記転写ベルトを挟んで表面にカラー画像が形成されるカラー用像担持体と表面にモノクロ画像が形成されるモノクロ用像担持体それぞれに対向して設けられ、ぞれぞれの像担持体に形成される画像を前記転写ベルトに転写する転写部材と、
前記転写ベルトに前記カラー用像担持体と前記モノクロ用像担持体とが接するカラー印字モードと前記モノクロ用像担持体のみが接するモノクロ印字モードとを切り換える切り換え部と、
前記転写ベルトを介して前記モノクロ用像担持対と対向して配置され、前記切り換え部により前記モノクロ印字モードに切り換えられると前記転写ベルトに作用して、前記転写ベルトの前記モノクロ用像担持体へ接触する領域を増加させるベルト支持部材と、
を具備することを特徴とする転写装置。
【請求項７】
記録媒体を供給する供給部と、
原稿画像を現像画像として像担持体に形成する画像形成部と、  
離間する一対の支持部材に架け渡して回転可能に設けられる無端状の転写ベルトと、前記転写ベルトを挟んで像担持体と対向して設けられ、前記像担持体上に形成された現像画像を前記転写ベルトに転写する転写部材と、前記転写ベルト上に転写された現像画像と前記供給部から前記記録媒体へ転写する２次転写部材と、前記転写ベルトを介して前記像担持体と対向して配置され、前記転写ベルトに作用して、前記転写ベルトの前記像担持体へ接触する領域を増加させるベルト支持部材とを備える転写装置と、
を具備することを特徴とする画像形成装置。
【請求項８】
前記像担持体と前記転写ベルトとを離間した状態に切り換える切り換え部を有し、前記切り換え部により前記像担持体と前記中間転写ベルトとを離間させるのにともない、前記ベルト支持部材を前記中間転写ベルトから離間させることを特徴とする請求項７記載の画像形成装置。
【請求項９】
記録媒体を供給する供給部と、
原稿画像を現像画像としてカラー用像担持体およびモノクロ用像担持体またはモノクロ用像担持体に形成する画像形成部と、  
離間する一対の支持ローラに架け渡して設けられる無端状の転写ベルトと、前記転写ベルトを挟んで表面にカラー画像が形成されるカラー用像担持体と表面にモノクロ画像が形成されるモノクロ用像担持体それぞれに対向して設けられ、ぞれぞれの像担持体に形成される画像を前記転写ベルトに転写する転写部材と、前記転写ベルト上に転写された現像画像を前記供給部から前記記録媒体へ転写する２次転写部材と、前記転写ベルトに前記カラー用像担持体と前記モノクロ用像担持体とが接するカラー印字モードと前記モノクロ用像担持体のみが接するモノクロ印字モードとを切り換える切り換え部と、前記転写ベルトを介して前記モノクロ用像担持体と対向して配置され、前記切り換え部により前記モノクロ印字モードに切り換えられると前記転写ベルトに作用して、前記転写ベルトの前記モノクロ用像担持体へ接触する領域を増加させるベルト支持部材とを有する転写装置と、
を具備することを特徴とする画像形成装置。
【発明の詳細な説明】
【技術分野】
【０００１】
本発明は、転写装置およびそれを備えた画像形成装置に関する。
【背景技術】
【０００２】
タンデムカラー方式を用いる画像形成装置では、ドラム状の感光体を有する各色（Ｙ：イエロー、Ｍ：マゼンタ、Ｃ：シアン、Ｋ：ブラック）の画像形成ユニットを並列に配置し、各感光体上にそれぞれ形成される複数色のトナー像を無端の中間転写ベルトに１次転写した後、用紙等の記録媒体に２次転写してカラー画像出力を得る。通常、各色の感光体と中間転写ベルトとの接線は一直線となるように配置されており、各色の感光体に中間転写ベルトが接触する領域の広さは一定であった。
【０００３】
このような画像形成装置においては、中間転写ベルト上のカラー画像を搬送される記録媒体に転写する２次転写位置に、記録媒体が突入あるいは脱出する際に生じる衝撃により、感光体から中間転写ベルトにトナー画像が転写される1次転写位置がずれる虞がある。このように1次転写位置がずれると、画像不良が生じてしまう。
【０００４】
１次転写位置を強固に保持する方法が示されているものとして特許文献１が挙げられる。
【０００５】
特許文献１には、カラー像を形成する４つのトナー像形成部のうち記録媒体にトナー画像を転写する２次転写位置に最も近いブラックのトナー像を形成する感光体ドラムを中間転写ベルトのベルトループの内側に食い込ませることにより、この感光体と中間転写ベルトとの密着性を高めることが示されている。
【発明の概要】
【発明が解決しようとする課題】
【０００６】
しかしながら、特許文献１の機構では、ブラックの像を形成する感光体は中間転写ベルトと常に接している状態となる。感光体と中間転写ベルトを常時接触させていると感光体は劣化していくため、感光体と中間転写ベルトが常に接していることは好ましくない。また、特許文献１の構成では、この感光体と中間転写ベルトとの密着性を高めることしかできない。
【０００７】
本発明は上記の問題を解決するために成されたものであり、より利便性を高めた機構で画像形成時における感光体と中間転写ベルトとの1次転写位置を強固に保持する転写装置およびそれを備えた画像形成装置を提供することを目的とする。
【課題を解決するための手段】
【０００８】
上記問題を解決するために、本発明にかかる転写装置は、離間する一対の支持部材に架け渡して回転可能に設けられる無端状の転写ベルトと、前記転写ベルトを介して像担持体と対向して設けられ、前記像担持体上に形成された現像画像を前記転写ベルトに転写する転写部材と、前記転写ベルトを介して前記像担持体と対向して配置され、前記転写ベルトに作用して前記像担持体へ接触する領域を増加させるベルト支持部材とを具備することを特徴とする。
【０００９】
また、本発明に係る画像形成装置は、記録媒体を供給する供給部と、原稿画像を現像画像として像担持体に形成する画像形成部と、離間する一対の支持部材に架け渡して回転可能に設けられる無端状の転写ベルトと、前記転写ベルトを挟んで像担持体と対向して設けられ、前記像担持体上に形成された現像画像を前記転写ベルトに転写する転写部材と、前記転写ベルト上に転写された現像画像と前記供給部から前記記録媒体へ転写する２次転写部材と、前記転写ベルトを介して前記像担持体と対向して配置され、前記転写ベルトに作用して、前記転写ベルトの前記像担持体へ接触する領域を増加させるベルト支持部材とを備える転写装置とを具備することを特徴とする。
【発明の効果】
【００１０】
本発明の転写装置および画像形成装置を用いれば、利便性を高めた機構で、画像形成時、感光体と中間転写ベルトにおける1次転写位置を強固に保持することが可能となる。
【図面の簡単な説明】
【００１１】
【図１】画像形成装置の概略構成図
【図２】第１の実施形態における転写装置の概略構成図
【図３】第２の実施形態におけるカラー印字モードの状態にある転写装置の概略構成図
【図４】第２の実施形態におけるモノクロ印字モードの状態にある転写装置の概略構成図
【図５】第２の実施形態における全離間モードの状態にある転写装置の概略構成図
【図６】第３の実施形態におけるカラー印字モードの状態にある転写装置の概略構成図
【図７】第３の実施形態におけるモノクロ印字モードの状態にある転写装置の概略構成図
【発明を実施するための形態】
【００１２】
以下、本発明における実施の形態を図面を参照して説明する。
【００１３】
（第１の実施形態）
第１の実施形態を図１乃至図２を参照して説明する。
【００１４】
図１は、画像形成装置の内部構造を示す断面図である。
【００１５】
画像形成装置１は、原稿を画像データとして取り込む画像読取部４と、この画像データを可視画像として出力する画像形成部２を有する。この画像形成部２は、例えばドラム状の感光体等の像担持体を含む後述する画像形成ユニット、定着装置等を有する。画像形成装置１は、更に、画像形成部２に対して画像の記録媒体として用いられる任意サイズの用紙Ｐを供給可能な用紙供給部３を有している。
【００１６】
画像読取部４は、透過性の原稿載置台８、キャリッジ９、露光ランプ１０、反射ミラー１１、反射光を収束する結像レンズ１２、反射光による画像情報をアナログ信号に変換するＣＣＤ（Ｃｈａｒｇｅ  Ｃｏｕｐｌｅｄ  Ｄｅｖｉｃｅ）１３を備える。
【００１７】
イエロー（Ｙ）、マゼンタ（Ｍ）、シアン（Ｃ）、ブラック（Ｋ）の各画像形成ユニットは同様の構成であり、同様の動作をするため、ブラック（Ｋ）の画像形成ユニット１５Ｋを例にとり、説明する。
【００１８】
画像形成ユニット１５Ｋは、像担持体としてのドラム状の感光体１６Ｋ、感光体１６Ｋ上に静電潜像を形成するレーザーユニット１７Ｋ  、感光体１６Ｋの周囲に順次に配置された帯電装置１８Ｋ、現像装置１９Ｋ、クリーナ２２Ｋ、除電ランプ２３Ｋを備える。
【００１９】
コピーされる原稿は、原稿載置台８に置かれるか、もしくは載置台８上に配置された公知の自動原稿送り装置３０にセットされる。図示しないコピーボタンが押されると、載置台８上の原稿、あるいは原稿送り装置３０によって載置台８の露光位置に送られてくる原稿にキャリッジ９とキャリッジ９に設けられた露光ランプ１０とを有する露光手段によって原稿載置台８の下方から光が当てられると、原稿からの反射光は、反射ミラー１１によって誘導され、結像レンズ１２で収束され、反射光像がＣＣＤ１３に投影される。露光ランプ１０からの光は、キャリッジ９の移動（図１では、左から右）に同期して、原稿面を走査する。この走査光がＣＣＤ１３に画像情報として取り込まれ、アナログ信号で出力された後、デジタル信号に変換される。この後、デジタル化された画像情報は、必要により画像処理が施された後、画像データとしてレーザーユニット１７Ｋへ送信される。デジタル信号に変換された画像情報は、一時的に、ＨＤＤ（Ｈａｒｄ  Ｄｉｓｋ  Ｄｒｉｖｅ）等の記録装置に記憶しても良い。
【００２０】
画像形成部２において、画像形成が始まると、帯電装置１８Ｋは回転する感光体１６Ｋの外周面に電荷を供給し、感光体１６Ｋの外表面を均一の電位に帯電する。次に、レーザーユニット１７Ｋは、ＣＣＤ１３から送信されてきた画像データで変調したレーザービームを感光体１６Ｋの外表面に向けて照射する。このレーザービームは、ドラム状の感光体の回転軸に沿って走査され、回転する感光体１６Ｋの外周面に画像データに対応した静電潜像が形成・保持される。更に現像装置１９Ｋによって感光体１６Ｋの外周面にトナー等の現像剤が提供され、静電潜像はトナー像、即ち現像画像に変換される。
【００２１】
この現像装置１９Ｋは、回転自在に設けられた現像ローラ２４Ｋを備えており、この現像ローラ２４Ｋが感光体１６Ｋに対向配置されて回転することにより、感光体１６Ｋへトナーが供給される。感光体１６Ｋの外周面にトナー画像が形成されると、感光体１６Ｋと中間転写ベルト１４を介して接触する転写部材である１次転写ローラ２０Ｋによって、トナー像が静電的に中間転写ベルト１４へ転写される。このように転写を行う機構部分を特に転写装置と称する。転写装置についての説明は後述する。また、転写されずに残った感光体１６Ｋ上のトナーは、１次転写ローラ２０Ｋよりも感光体１６Ｋの回転方向の下流に位置するクリーナ２２Ｋによって除去され、さらに、感光体１６Ｋの外周面の残留電荷が、除電ランプ２３Ｋによって除去される。カラー画像を形成する場合には、上記の動作が画像形成ユニット１５Ｙ、１５Ｍ、１５Ｃにおいても同様に行われる。
【００２２】
中間転写ベルト１４に転写されたトナー像は、２次転写ローラ２５によって、搬送路を通って用紙供給部３から搬送されてきた用紙上に静電的に転写される。その後、トナー像が転写された用紙Ｐは定着装置２６へ搬送され、用紙上に転写されたトナー像は定着装置２６によって用紙上に定着される。トナー像が定着され、画像形成が完了した用紙は、搬送ローラ２７により排出部である用紙トレイ２８上に排出される。
【００２３】
以上が記録媒体となる用紙に画像を形成する動作の概略である。
【００２４】
次に本願発明に係る転写装置４０の説明をする。図２は、本発明の第１の実施形態にかかる転写装置４０の概略構成図である。
【００２５】
転写装置４０は、例えば、駆動ローラ４１、従動ローラ４２、これら駆動ローラ４１と従動ローラ４２を支持部材として架け渡される無端状の中間転写ベルト１４、及び、この中間転写ベルト１４に張力を付与する複数のテンションローラ４３、中間転写ベルトを介して感光体と対向するように設けられ、感光体上の画像を中間転写ベルトに転写する１次転写位置を形成する１次転写ローラから構成される。この１次転写ローラ２０Ｋ、２０Ｃ、２０Ｍ、２０Ｙは、各感光体１６Ｋ、１６Ｃ、１６Ｍ、１６Ｙに対応して中間転写ベルト１４に沿って順次配置され、対応する感光体表面に形成されるトナー像を前述のように中間転写ベルト１４に付着させる。
【００２６】
更に、転写装置４０は、駆動ローラ４１に中間転写ベルト１４を介して接触し、２次転写位置を形成する２次転写部材である２次転写ローラ４４を備える。  中間転写ベルト１４は、図示しない駆動手段によって図中反時計周り方向に回転駆動される駆動ローラ４１の回転力により、同方向に無端移動される。図に示すように、２次転写ローラ４４は、中間転写ベルト１４の移動方向で、１次転写ローラ２０Ｋの上流側に位置している。
【００２７】
このような転写装置４０において、ブラック（Ｋ）の１次転写ローラ２０Ｋとシアン（Ｃ）の１次転写ローラ２０Ｃとの間に、中間転写ベルト１４に接触するように設けられるベルト支持部材であるアイドルローラ４５を配置する。このアイドルローラ４５は、中間転写ベルト１４を介してブラック（Ｋ）の感光体１６Ｋと接触した状態で、中間転写ベルト１４のベルトループが外側に広がるように配置される。このようにアイドルローラ４５を設けることにより、感光体１６Ｋへの中間転写ベルト１４の巻き付き量が増える。言い換えれば、アイドルローラ４５が中間転写ベルト１４に作用することにより、中間転写ベルト１４の感光体１６Ｋへの接触領域を増加させることが出来る。
【００２８】
以上のように、アイドルローラ４５を中間転写ベルト１４のベルトループが外側に広がるようにブラック（Ｋ）の感光体１６Ｋとシアン（Ｃ）の感光体１６Ｃの間に設けることにより感光体１６Ｋへの中間転写ベルト１４の巻き付き量が多くなり、中間転写ベルト１４と感光体１６Ｋとの密着性が高まる。そのため、２次転写位置に記録媒体が突入あるいは脱出する際に生じる中間転写ベルトへの衝撃、更には１次転写位置への影響を受けにくくなる。
【００２９】
なお、上記の実施形態においては、アイドルローラ４５はブラック（Ｋ）の感光体１６Ｋとシアン（Ｃ）の感光体１６Ｃの間に設けたが、アイドルローラ４５はブラック（Ｋ）の感光体１６Ｋと２次転写位置との間に設けてもよい。この場合も、上記の実施形態と同様の効果を得ることができる。
【００３０】
また、上記の実施形態においては、２次転写位置に最も近く、２次転写位置で生じる衝撃の影響を最も受けやすいブラック（Ｋ）の感光体１６Ｋのみに、中間転写ベルト１４の巻き付き量が多くなるようにアイドルローラを設けたが、ブラック（Ｋ）の感光体のみに限らず、イエロー（Ｙ）、マゼンタ（Ｍ）、シアン（Ｃ）の感光体においてもＫの感光体と同様に転写ベルト１４の巻き付き量が多くなるようにアイドルローラ４５を設けてもよい。
【００３１】
上記の実施形態によれば、感光体への中間転写ベルトの巻き付き量が多くなるようにアイドルローラを設けることにより１次転写位置を強固に保持し、２次転写位置に記録媒体が突入、脱出する際に生じる衝撃による画像不良を防ぐことが可能となる。
【００３２】
（第２の実施形態）
次に第２の実施形態を図３乃至図５を用いて説明する。
【００３３】
以下、第１の実施形態と同一の部分には同一の符号を用い、本実施形態の特徴部分のみ説明する。
【００３４】
本実施形態の画像形成装置１では、記録媒体に対してカラー画像の形成を行うカラー印字モードとモノクロ画像の形成を行うモノクロ印字モード、さらには輸送時などに全ての感光体と中間転写ベルトを離間させる全離間モードの切り換え機構を有する。
【００３５】
カラー印字モードでは、中間転写ベルト１４を各色の感光体１６Ｋ、１６Ｙ、１６Ｍ、１６Ｃに接触させて、各色の現像剤像を各感光体から中間転写ベルト１４に転写する。
【００３６】
モノクロ印字モードでは、中間転写ベルト１４をブラック（Ｋ）の感光体１６Ｋのみに接触させて、ブラック（Ｋ）の現像剤像を感光体から中間転写ベルト１４に転写すればよく、動作させる必要のない他の色の感光体１６Ｙ、１６Ｍ、１６Ｃを中間転写ベルト１４から離間させて、イエロー（Ｙ）、マゼンタ（Ｍ）、シアン（Ｃ）の感光体と中間転写ベルト１４の間の摩擦を低減させる。
【００３７】
図３は転写装置がカラー印字モードの状態にあるときの概略構成図である。
【００３８】
本実施形態における転写装置４０は、カラー印字モード、モノクロ印字モードと全離間モードの切り換えを行う切り換えユニット５０を備える。この切り換えユニット５０（切り換え部）は、ブラック（Ｋ）の1次転写ローラ２０Ｋ、アイドルローラ４５及び偏芯カム６０に取り付けられた手動の操作レバー５１を備えたモノクロユニット５２とイエロー（Ｙ）、マゼンタ（Ｍ）、シアン（Ｃ）の1次転写ローラ、偏芯カム６２及びガイドピン６４を備えるカラーユニット５３とを具備する。偏芯カム６２はカラーユニット５３の筐体５５の上部のくぼみにはめ込まれている。なお、カラーユニット５３の偏芯カム６２にはモータ（図示しない）が繋がれており、偏芯カム６２はこのモータにより回転する。また、ガイドピン６４は固定されており、筐体５５に設けられた長孔６６にはめ込まれている。モノクロユニット５２とカラーユニット５３は切り換え部材５４で接続されている。
【００３９】
図４はモノクロ印字モードの状態にある転写装置を示した概略構成図である。モノクロ印字モードのときは、モータによりカラーユニット５３の偏芯カム６２が回転する。偏芯カム６２が筐体のくぼみ上を回転移動することにより、ガイドピン６４のはめ込まれた長孔６６に沿ってカラーユニット５３全体が上方に移動する。このように、イエロー（Ｙ）、マゼンタ（Ｍ）、シアン（Ｃ）の感光体と中間転写ベルト１４は離間する。
【００４０】
図５は全離間モードの状態にある転写装置を示した概略構成図である。全離間モードにするには、モノクロ印字モードにあるときに、さらに手動のレバー５１を図面上時計回りに９０度回転させることによりモノクロユニット５２の偏芯カム６０を回転させる。この偏芯カム６０が回転することによりモノクロユニット５２が上方に移動する。このようにモノクロユニット５２が上方に移動すると、ブラック（Ｋ）の感光体１６Ｋとアイドルローラ４５が中間転写ベルト１４から離間する。
【００４１】
本実施形態を用いると、輸送時など感光体と中間転写ベルトを接触させる必要のないときは、感光体と一緒にアイドルローラ４５も移動させ、印刷時のみ１次転写位置を強固に保持することが可能となる。そのため、常に感光体と中間転写ベルトを接触させる場合と比べ、感光体との摩擦による中間転写ベルト１４の劣化を防ぐことができる。
【００４２】
なお、第１の実施形態と同様に本実施形態においてもアイドルローラ４５はブラック（Ｋ）の画像形成ユニットのみに設けたが、イエロー（Ｙ）、マゼンタ（Ｍ）、シアン（Ｃ）においてもアイドルローラを配置し、カラーユニット５３の移動とともにアイドルローラも移動し、中間転写ベルトから離間させることが可能な構成をとってもよい。
【００４３】
なお、本実施形態においては、手動のレバー５１を用いて全離間モードへの切り換えを行ったが、各モードへの切り換え機構はこれに限るものではない。
【００４４】
（第３の実施形態）
次に第３の実施形態を図６乃至図７を用いて説明する。
【００４５】
以下、第１および第２の実施形態と同一の部分には同一の符号を用い、本実施形態の特徴部分のみ説明する。
【００４６】
本実施形態にかかる転写装置も第２の実施形態と同様にカラー印字モードとモノクロ印字モードとの切り換え機構を有する。
【００４７】
図６は本実施形態におけるカラー印字モードの状態にある転写装置の概略構成図である。転写装置の備える部材およびカラーユニットの動かし方は第２の実施形態と同様である。本実施形態においてカラー印字モードをとるときは、アイドルローラ４５はブラック（Ｋ）の感光体１６Ｋへ中間転写ベルト１４の巻き付き量が多くなるように配置されていない。また、切り換え部材５４は支点５４ａを持ち、支点５４ａを中心に回動する。
【００４８】
図７は本実施形態におけるモノクロ印字モードの状態にある転写装置の概略構成図である。カラーユニット５３がイエロー（Ｙ）、マゼンタ（Ｍ）、シアン（Ｃ）の感光体が中間転写ベルト１４から離れるように上方へ移動すると、切り換え部材５４が図７に示すＡ方向に回動し、モノクロユニット５２が切り換え部材５４により下に押し下げられる。モノクロユニット５２の偏芯カム６０の部分は固定されているため、モノクロユニット５２は傾く。そして、アイドルローラ４５が中間転写ベルト１４のベルトループを押し広げるように移動し、ブラック（Ｋ）の感光体１６Ｋへの中間転写ベルト１４の巻き付き量が多くなる。
【００４９】
本実施形態によれば、モノクロ印字モードのときのみブラック（Ｋ）の感光体１６Ｋへ中間転写ベルト１４の巻き付き量が多くなるようにアイドルローラ４５を配置することができる。カラー印字モードではイエロー（Ｙ）、マゼンタ（Ｍ）、シアン（Ｃ）、ブラック（Ｋ）の４つの感光体と転写ローラによる４箇所のニップ域より中間転写ベルト１４は挟まれるため、ブラック（Ｋ）の感光体１６Ｋと転写ローラ２０Ｋによる１箇所のニップ域しか持たないモノクロ印字モードと比較して２次転写位置へ記録媒体が突入・脱出する際の影響をあまり受けない。そのため、モノクロ印字モードのときのみ感光体１６Ｋへの中間転写ベルト１４の巻き付き量を多くするとしてもよい。そのようなときに本実施形態のようにモノクロ印字モードへの切り換えに連動してアイドルローラ４５が移動する機構を設けることは有効である。
【符号の説明】
【００５０】
１  画像形成装置
２  画像形成部
３  用紙供給部
４  画像読取部
８  原稿載置台
９  キャリッジ
１０  露光ランプ
１１  反射ミラー
１２  結像レンズ
１３  ＣＣＤ
１４  転写ベルト
１５Ｋ，１５Ｙ，１５Ｍ，１５Ｃ  画像形成ユニット
１６Ｋ，１６Ｙ，１６Ｍ，１６Ｃ  感光体
２０Ｋ，２０Ｙ，２０Ｍ，２０Ｃ  １次転写ローラ
２５  ２次転写ローラ
４０  転写装置
４１  駆動ローラ
４２  従動ローラ
４３  テンションローラ
４５  アイドルローラ
５２  モノクロユニット
５３  カラーユニット
【先行技術文献】
【特許文献】
【００５１】
【特許文献１】特開２００７−１９９６３６公報
【図１】
2010277066.tif 000003
【図２】
2010277066.tif 000004
【図３】
2010277066.tif 000005
【図４】
2010277066.tif 000006
【図５】
2010277066.tif 000007
【図６】
2010277066.tif 000008
【図７】
2010277066.tif 000009